(57)【要約】【課題】エレベータの走行時の静粛化を向上し、かつ、保守点検も容易にするエレベータのかご装置を提供する。【解決手段】昇降路内を昇降するかごと、上部が昇降路の乗場側からその対向側に向かって斜め下方へ、下部は乗場側からその対向側に向かって斜め上方へ、流線型をなして昇降方向に先細形状に突出するように形成され、かごを覆うようにかごに対して鉛直方向に移動可能に設置される整風カバー５と、整風カバー５を、かごに対して昇降方向に移動させる整風カバー駆動手段１０とを備える構成とした。【選択図】図１
2008162788.tif 000002
【特許請求の範囲】
【請求項１】
昇降路内を昇降するかごと、
上下部が先細形状に形成され、前記かごを覆うように前記かごに対して鉛直方向に移動可能に設置される整風カバーと、
前記整風カバーを、前記かごに対して昇降方向に移動させる整風カバー駆動手段と、
を備えたことを特徴とするエレベータのかご装置。
【請求項２】
整風カバー駆動手段は、かごが建物の最上階又は最下階に近づいた場合に整風カバーを昇降方向と反対側に移動させることを特徴とする請求項１記載のエレベータのかご装置。
【請求項３】
整風カバーの乗場側に形成され、前記乗場側にかごの出入口を露出させる開口部と、
前記開口部上部及びかご天井の間に形成され、前記かごに対する前記整風カバーの鉛直方向の移動に伴って高さが変化する上部隙間と、
前記開口部下部及びかご床の間に形成され、前記かごに対する前記整風カバーの鉛直方向の移動に伴って高さが変化する下部隙間と、
前記開口部上部及びかご天井に固定され、前記上部隙間の高さの変化に追従して、前記上部隙間を塞ぐように動作する上部隙間塞ぎ手段と、
前記開口部下部及びかご床に固定され、前記下部隙間の高さの変化に追従して、前記下部隙間を塞ぐように動作する下部隙間塞ぎ手段と、
を備えたことを特徴とする請求項１又は請求項２に記載のエレベータのかご装置。
【請求項４】
上部隙間塞ぎ手段及び下部隙間塞ぎ手段の少なくとも一方は、複数の板状体で形成され、引き出し及びたたみ込みが可能なスライドスクリーンで構成されることを特徴とする請求項３記載のエレベータのかご装置。
【請求項５】
上部隙間塞ぎ手段及び下部隙間塞ぎ手段の少なくとも一方は、シャッター巻き取り機により、繰り出し及び巻き取りが行われるシャッターで構成されることを特徴とする請求項３記載のエレベータのかご装置。
【請求項６】
上部隙間塞ぎ手段及び下部隙間塞ぎ手段の少なくとも一方は、乗場側からかご又は整風カバーの開口部との固定及び固定の開放が可能に構成されることを特徴とする請求項３〜請求項５のいずれかに記載のエレベータのかご装置。
【請求項７】
整風カバー内部の下方には、かご床下方に配置される作業床が設置されていることを特徴とする請求項６記載のエレベータのかご装置。
【発明の詳細な説明】
【技術分野】
【０００１】
この発明は、整風カバーを備えたエレベータのかご装置に関するものである。
【背景技術】
【０００２】
従来、エレベータのかご室上では、エレベータの走行により発生する空気流が、整風カバーに衝突して騒音を発生させ、整風カバーを透過した騒音が整風カバーとかご天井の間で反響することで、騒音として乗客に不快感を与えていた。そこで、かご室内の騒音を低減するために、流線型の整風カバーをかご上に配置するものが提案されている（例えば、特許文献１参照）。
【０００３】
【特許文献１】特開２００１−３０２１５０号公報
【発明の開示】
【発明が解決しようとする課題】
【０００４】
しかし、特許文献１記載のものは、かご室が整風カバーの曲線部中心からなる騒音発生部に近い位置にあり、特にエレベータの高速走行時には、騒音が完全には静粛化されないという問題があった。また、かご天井上に乗り、保守点検をする際、整風カバーが邪魔となり、作業性が悪かった。
【０００５】
この発明は、上述のような課題を解決するためになされたもので、その目的は、エレベータの走行時の静粛化を向上し、かつ、保守点検も容易にするエレベータのかご装置を提供することである。
【課題を解決するための手段】
【０００６】
この発明に係るエレベータのかご装置は、昇降路内を昇降するかごと、上下部が先細形状に形成され、前記かごを覆うように前記かごに対して鉛直方向に移動可能に設置される整風カバーと、前記整風カバーを、前記かごに対して昇降方向に移動させる整風カバー駆動手段とを備えたものである。
【発明の効果】
【０００７】
この発明は、昇降路内を昇降するかごと、上下部が先細形状に形成され、前記かごを覆うように前記かごに対して鉛直方向に移動可能に設置される整風カバーと、前記整風カバーを、前記かごに対して昇降方向に移動させる整風カバー駆動手段とを備える構成としたことで、エレベータの走行時の静粛化を向上し、かつ、保守点検も容易にすることができる。
【発明を実施するための最良の形態】
【０００８】
この発明をより詳細に説明するため、添付の図面に従ってこれを説明する。なお、各図中、同一又は相当する部分には同一の符号を付しており、その重複説明は適宜に簡略化ないし省略する。
【０００９】
実施の形態１．
図１はこの発明の実施の形態１におけるエレベータのかご装置を模式的に示した斜視図、図２は図１のＡ部の拡大平面図、図３は図１のＢ部の拡大斜視図、図４はこの発明の実施の形態１におけるエレベータのかご装置の上昇時の斜視図、図５はこの発明の実施の形態１におけるエレベータのかご装置の上昇時の正面図、図６はこの発明の実施の形態１におけるエレベータのかご装置の上昇時の縦断面図、図７はこの発明の実施の形態１におけるエレベータのかご装置の下降時の斜視図、図８はこの発明の実施の形態１におけるエレベータのかご装置の下降時の正面図、図９はこの発明の実施の形態１におけるエレベータのかご装置の下降時の縦断面図、図１０はこの発明の実施の形態１におけるエレベータのかご室装置の動作を説明するフローチャートである。
【００１０】
図において、１はエレベータのかご室、２はかご室１の出入口で開閉するかごの戸、３はかご室１を支持するかご枠である。かご枠３に支持され、エレベータの利用者４を乗せたかご室１は、かご枠３の上枠の一端に連結されている主索（図示せず）に吊持され、昇降路（図示せず）内を昇降する。
【００１１】
５はかご室１及びかご枠３を覆うように配置される縦長の整風カバーであって、上半部においてかご室１の出入口側、即ち、昇降路の乗場（図示せず）側上端部からその対向側に向かって斜め下方へ、下半部において昇降路の乗場側下端部からその対向側に向かって斜め上方へ、流線型をなして昇降方向に先細形状に突出するように形成されている。この整風カバー５の乗場の対向側に配置されてかご室１の倍程度の高さを有する鉛直面内面からなる整風カバー用移動レール取付面には、上端から下端に渡って、所定間隔を有する一対の整風カバー用移動レール６が鉛直設置されている。一方、かご天井１ａ上面及びかご床１ｂ下面の乗場の対向側縁部の整風カバー用移動レール６対向部には、それぞれ、一対の整風カバー用ガイドシュー７が設置されている。この整風カバー用ガイドシュー７に設けられた開口部を整風カバー用移動レール６側に向けた横断面略コ字状の両端部から互いに対向して突出する整風カバー用移動レール係合部と、整風カバー用移動レール６に設けられた整風カバー用ガイドシュー７側に突出するかご室係合部の両側面に形成される係合溝が、互いに係合案内され、整風カバー５がかご室１に対して鉛直方向に移動可能となっている。なお、整風カバー用ガイドシュー７は、適宜、整風カバー用移動レール６のつかみ込み及びその開放、即ち、挟持及びその開放を行い、整風カバー用移動レール６を介して整風カバー５を支持する機能も備えている。
【００１２】
また、かご天井１ａ上面に設置された一対の整風カバー用ガイドシュー７の間には、ロープ８の巻き取り及び繰り出しを行うプーリー９を備えた整風カバー駆動手段１０が設置されている。この整風カバー駆動手段１０から鉛直下向きに延びたロープ８の下端は、一対の整風カバー用移動レール６の間において、固定具１１により、整風カバー５の整風カバー用移動レール取付面の所定位置に連結されている。整風カバー駆動手段１０は、エレベータの制御盤（図示せず）からエレベータの移動指令の信号を受け取り、ロープ８の巻き取り及び繰り出しを行って、整風カバー５をかご室１に対して昇降方向に移動させるとともに、かご室１が建物の最上階又は最下階に近づいた場合に昇降方向と反対側に移動させる機能を有している。即ち、かご室１の上昇時に整風カバー５がかご室１に対して上方に移動される場合は、整風カバー用ガイドシュー７での整風カバー用移動レール６の挟持が開放され、プーリー９によりロープ８が巻き取られ、整風カバー５が所定量吊り上げられる。その後、再び整風カバー用ガイドシュー７が整風カバー用移動レール６を挟持し、整風カバー５が支持される。一方、かご室１の下降時に整風カバー５がかご室１に対して下方へ移動される場合は、整風カバー用ガイドシュー７での整風カバー用移動レール６の挟持が開放され、プーリー９によりロープ８が繰り出され、自重により下方へ移動する整風カバー５の移動量が調整される。その後、再び整風カバー用ガイドシュー７が整風カバー用移動レール６を挟持し、整風カバー５が支持される。また、かご室１が建物の最上階又は最下階に近づいた場合も、上記と同様の動作で、整風カバー５を昇降方向と反対側に移動させる。なお、整風カバー駆動手段１０は、整風カバー５をかご室１に対して鉛直方向に移動させる機構を有して上記の機能を備えていれば、歯車機構や油圧機構等で構成されていてもよい。
【００１３】
一方、整風カバー５の乗場側鉛直面には、かご室１に対する整風カバー５の鉛直方向の位置関係によらず、常時、かご室１の出入口を乗場側に露出させる矩形状の開口部が形成されており、スクリーン用レール枠１２に縁取られている。このスクリーン用レール枠１２の上部横枠からなる整風カバー５の開口部上部及びかご天井１ａ上面の乗場側近傍の間には、かご室１に対する整風カバー５の鉛直方向の移動に伴って高さが変化する上部隙間が形成されている。また、スクリーン用レール枠１２の下部横枠からなる整風カバー５の開口部下部及びかご床１ｂ下面の乗場側近傍の間には、かご室１に対する整風カバー５の鉛直方向の移動に伴って高さが変化する下部隙間が形成されている。この上部隙間には、上縁部が整風カバー５の開口部上部に、下縁部がかご天井１ａ上面の乗場側近傍に固定され、両側がスクリーン用レール枠１２の両縦枠に連結して案内されることにより、円滑に引き出し及びたたみ込みが可能に連動して動作する複数の板状体で構成される上部スライドスクリーン１３からなる上部隙間塞ぎ手段が配置されている。一方、下部隙間には、下縁部が整風カバー５の開口部下部に、上縁部がかご床１ｂ下面の乗場側近傍に固定され、両側がスクリーン用レール枠１２の両縦枠に連結して案内されることにより、円滑に引き出し及びたたみ込みが可能に連動して動作する複数の板状体で構成される下部スライドスクリーン１４からなる下部隙間塞ぎ手段が配置されている。この上部隙間塞ぎ手段及び下部隙間塞ぎ手段は、上部隙間及び下部隙間の高さの変化に追従して、上部隙間及び下部隙間を塞ぐように動作する。
【００１４】
即ち、図５及び図６に示すように、整風カバー５がかご室１に対して上方に移動され、整風カバー５の整風カバー用移動レール取付面の下縁部とかご床１ｂが同等の高さに配置される場合は、上部スライドスクリーン１３の複数の板状体が、互いに鉛直投影面上で重合しないように引き出され、下部スライドスクリーン１４の複数の板状体が、互いに鉛直投影面上で重合するようにたたみ込まれる。一方、図８及び図９に示すように、整風カバー５がかご室１に対して下方に移動され、整風カバー５の整風カバー用移動レール取付面の上縁部とかご天井１ａが同等の高さに配置される場合は、下部スライドスクリーン１４の複数の板状体が、互いに鉛直投影面上で重合しないように引き出され、上部スライドスクリーン１３の複数の板状体が、互いに鉛直投影面上で重合するようにたたみ込まれる。
【００１５】
次に、図１０を用いて、この発明のエレベータのかご装置の動作を説明する。まず、ステップＳ１でかご室１に移動指令が出されると、ステップＳ２に進む。ステップＳ２で、かご室１への移動指令が上昇指令の場合は、ステップＳ３に進む。ステップＳ３で、停止階までの移動階Ｎが、かご室１の高速上昇を行うように予め決められている高速上昇判断基準階Ｎ０よりも多い場合は、ステップＳ４に進む。ステップＳ４で、整風カバー５がかご室１に対して上方に移動されている場合、即ち、整風カバー５が高速上昇する位置にある場合は、ステップＳ５に進み、かご室１が上昇し、所定時間経過後、ステップＳ６に進み、かご室１の上昇速度Ｖが一定となる。そして、一定速度で上昇しているかご室１が目的階が近づくとステップＳ７に進み、かご室１の上昇速度Ｖが予め決められている速度Ｖ０未満まで減少すると、ステップＳ８に進む。ステップＳ８で、次の停止階が最上階の場合は、ステップＳ９に進み、整風カバー５が高速上昇する位置にあるため、ステップＳ１０に進む。ステップＳ１０で、整風カバー５の上部が昇降路頂部に設置される他の機器等と接触しないように、整風カバー５がかご室１に対して下方へ移動された後、ステップＳ１１に進み、エレベータが停止される。また、ステップＳ８で次の停止階が最上階でない場合は、整風カバー５が下方へ移動されることなく、ステップＳ１１に進み、エレベータが停止される。
【００１６】
また、ステップＳ３で停止階までの移動階Ｎがかご室１の高速上昇を行うように予め決められている高速上昇判断基準階Ｎ０よりも少なく、高速上昇しない場合は、整風カバー５の位置に関係なく、ステップＳ５に進み、上記で説明した動作を行う。この場合、ステップＳ９で整風カバー５が高速上昇する位置にない場合は、整風カバー５が移動されることなく、ステップＳ１１に進み、エレベータが停止される。また、ステップＳ４で整風カバー５が高速上昇する位置になく、ステップＳ１２に進んで、整風カバー５がかご室１に対して上方に移動され、高速上昇する位置に配置された場合は、ステップＳ５に進み、上記で説明した動作を行う。
【００１７】
一方、ステップＳ２で、かご室１への移動指令が上昇指令でない場合、即ち、下降指令の場合は、ステップＳ１３に進む。ステップＳ１３で、停止階までの移動階Ｎが、かご室１の高速下降を行うように予め決められている高速下降判断基準階Ｎ１よりも多い場合は、ステップＳ１４に進む。ステップＳ１４で、整風カバー５がかご室１に対して下方に移動されている場合、即ち、整風カバー５が高速下降する位置にある場合は、ステップＳ１５に進み、かご室１が下降し、所定時間経過後、ステップＳ１６に進み、かご室１の下降速度Ｖが一定となる。そして、一定速度で下降しているかご室１が目的階が近づくとステップＳ１７に進み、かご室１の下降速度Ｖが予め決められている速度Ｖ１未満まで減少すると、ステップＳ１８に進む。ステップＳ１８で、次の停止階が最下階の場合は、ステップＳ１９に進み、整風カバー５が高速下降する位置にあるため、ステップＳ２０に進む。ステップＳ２０で、整風カバー５の下部が昇降路底部に設置される他の機器等と接触しないように、整風カバー５がかご室１に対して上方へ移動された後、ステップＳ１１に進み、エレベータが停止される。また、ステップＳ１８で次の停止階が最下階でない場合は、整風カバー５が上方へ移動されることなく、ステップＳ１１に進み、エレベータが停止される。
【００１８】
また、ステップＳ１３で停止階までの移動階Ｎがかご室１の高速下降を行うように予め決められている高速下降判断基準階Ｎ１よりも少なく、高速下降しない場合は、整風カバー５の位置に関係なく、ステップＳ１５に進み、上記で説明した動作を行う。この場合、ステップＳ１９で整風カバー５が高速下降する位置にない場合は、整風カバー５が移動されることなく、ステップＳ１１に進み、エレベータが停止される。また、ステップＳ１４で整風カバー５が高速下降する位置になく、ステップＳ２１に進んで、整風カバー５がかご室１に対して下方に移動され、高速下降する位置に配置された場合は、ステップＳ１５に進み、上記で説明した動作を行う。
【００１９】
以上で説明した実施の形態１によれば、整風カバー５は、整風カバー駆動手段１０により、かご室１に対して昇降方向に移動されるため、流線型をなす先細形状の整風カバー５の上下部からなる空気流との衝突による騒音発生部がかご室１から遠ざかる。このため、かご室１内の静粛化を向上させることができる。また、整風カバー５は、かご室１が建物の最上階又は最下階に近づいた場合は、昇降方向と反対側に移動されるため、従来の整風カバー５を使用する場合と同等の昇降路の高さ及び深さでかご室１内の静粛化を向上させることができる。さらに、上部スライドスクリーン１３及び下部スライドスクリーン１４が、かご室１に対する整風カバー５の鉛直方向の移動に伴って高さが変化する上部隙間及び下部隙間を塞ぐため、流線型をなす先細形状の整風カバー５の上下部と空気流との衝突による騒音が乗場側から上部隙間及び下部隙間を通過してかご室１に伝達されることを防止することができる。
【００２０】
実施の形態２．
図１１はこの発明の実施の形態２におけるエレベータのかご装置のかご室上部の保守点検を説明する縦断面図、図１２はこの発明の実施の形態２におけるエレベータのかご装置のかご室下部の保守点検を説明する縦断面図である。
【００２１】
実施の形態２においては、上部スライドスクリーン１３の下縁部とかご天井１ａ上面の乗場側近傍及び下部スライドスクリーン１４の上縁部とかご床１ｂ下面の乗場側近傍は、乗場側から固定及び固定の開放が可能な構成となっている。また、かご床１ｂ下方で、整風カバー５内部の下方に位置する整風カバー用移動レール取付面の下縁部と同等の高さには、整風カバー５がかご室１に対して上方に移動されてもかご床１ｂ下面と接触しないように、整風カバー用移動レール取付面及び乗場側鉛直面に固定される作業床取付台１５を介して作業床１６が、常時、水平設置されている。その他においては、実施の形態１と同様の構成である。
【００２２】
この場合、かご室１上部の保守点検の際は、整風カバー５がかご室１に対して上方に移動され、かご天井１ａが建物の所定階の乗場の床面と同等の高さに配置される。次いで、所定階の乗場側から、上部スライドスクリーン１３の下縁部とかご天井１ａ上面の乗場側近傍の固定が開放され、上部スライドスクリーン１３がスクリーン用レール枠１２の上部横枠側でたたみ込まれる。その後、作業者１７が所定階の乗場の出入口、たたみ込まれた上部スライドスクリーン１３下部とかご天井１ａ上面の間に形成された隙間を通過して、かご天井１ａに移動し、かご室１上部の作業を行う。そして、かご天井１ａで作業を終えた作業者１７が所定階の乗場に移動した後、上部スライドスクリーン１３が引き出されて下縁部とかご天井１ａ上面の乗場側近傍が固定され、かご室１上部の保守点検が終了する。
【００２３】
一方、かご室１下部の保守点検の際は、整風カバー５がかご室１に対して下方に移動され、かご床１ｂが建物の所定階の乗場の天井面と同等の高さに配置される。次いで、所定階の乗場側から、下部スライドスクリーン１４の上縁部とかご床１ｂ上面の乗場側近傍の固定が開放され、下部スライドスクリーン１４がスクリーン用レール枠１２の下部横枠側でたたみ込まれる。その後、作業者１７が所定階の乗場の出入口、たたみ込まれた下部スライドスクリーン１４上部とかご床１ｂ下面の間に形成された隙間を通過して、作業床１６に移動し、かご室１下部の保守点検を行う。そして、作業床１６で作業を終えた作業者１７が所定階の乗場に移動した後、下部スライドスクリーン１４が引き出されて上縁部とかご床１ｂの乗場側近傍が固定され、かご室１下部の保守点検が終了する。
【００２４】
以上で説明した実施の形態２によれば、実施の形態１と同様の効果に加え、かご室１に対する整風カバー５の位置を移動させることにより、乗場側から作業者１７がかご天井１ａ及び作業床１６に移動できるため、かご室１上部及び下部の保守点検時の作業スペースを広く確保することができ、保守点検が容易にできる。また、かご床１ｂ下方で、整風カバー５内部の下方に、作業床１６が水平設置されているため、かご室１下部の保守点検の作業効率を向上させることができる。
【００２５】
なお、実施の形態２においては、上部スライドスクリーン１３の下縁部とかご天井１ａ上面の乗場側近傍及び下部クライドスクリーンの上縁部とかご床１ｂ下面の乗場側近傍を、乗場側から固定及び固定の開放が可能な構成としたが、上部スライドスクリーン１３の上縁部とスクリーン用レール枠１２の上部横枠及び下部スライドスクリーン１４の下縁部とスクリーン用レール枠１２の下部横枠の固定及び固定の開放が可能な構成としても、同様の効果を得ることができる。
【００２６】
実施の形態３．
図１３はこの発明の実施の形態３におけるエレベータのかご装置の上昇時の正面図、図１４はこの発明の実施の形態３におけるエレベータのかご装置の上昇時の縦断面図、図１５はこの発明の実施の形態３におけるエレベータのかご装置の下降時の正面図、図１６はこの発明の実施の形態３におけるエレベータのかご装置の下降時の縦断面図である。
【００２７】
実施の形態３においては、上部隙間塞ぎ手段及び下部隙間塞ぎ手段が、単板で形成される上部シャッター１８及び下部シャッター１９で構成されている。即ち、シャッター用レール枠２０の上部横枠からなる整風カバー５の開口部上部には、下縁部がかご天井１ａ上面の乗場側近傍に固定される上部シャッター１８の繰り出し及び巻き取りを行う上部シャッター巻き取り機２１が配置されている。一方、シャッター用レール枠２０の下部横枠からなる整風カバー５の開口部下部には、上縁部がかご床１ｂ下面の乗場側近傍に固定される下部シャッター１９の巻き取り及び繰り出しを行う下部シャッター巻き取り機２２が配置されている。上部シャッター１８及び下部シャッター１９は、両側がシャッター用レール枠２０の両縦枠に連結して案内されることにより、円滑に繰り出し及び巻き取りが可能な構成となっている。その他においては、実施の形態１と同様の構成である。
【００２８】
以上で説明した実施の形態３によれば、実施の形態１と同様の効果に加え、上部シャッター１８及び下部シャッター１９は、単板で形成されるため、整風カバー５のかご室１に対する鉛直方向の移動に際して、上部隙間塞ぎ手段及び下部隙間塞ぎ手段の動作音を低減することができる。
【００２９】
なお、実施の形態３においては、スクリーン用レール枠１２の上部横枠及び下部横枠に、上部シャッター巻き取り機２１及び下部シャッター巻き取り機２２を配置する構成としたが、かご天井１ａ上面及びかご床１ｂ下面に、上部シャッター巻き取り機２１及び下部シャッター巻き取り機２２を配置する構成としても、同様の効果を得ることができる。
【００３０】
実施の形態４．
図１７はこの発明の実施の形態４におけるエレベータのかご装置のかご室上部の保守点検を説明する縦断面図、図１８はこの発明の実施の形態４におけるエレベータのかご装置のかご室下部の保守点検を説明する縦断面図である。
【００３１】
実施の形態４においては、実施の形態３の上部シャッター１８の下縁部とかご天井１ａ上面の乗場側近傍及び下部シャッター１９の上縁部とかご床１ｂ下面の乗場側近傍は、乗場側から固定及び固定の開放が可能な構成となっており、実施の形態２と同様に、かご室１上部及びかご室１下部の保守点検を行うものである。その他においては、実施の形態３と同様である。
【００３２】
以上で説明した実施の形態４によれば、実施の形態３と同様の効果に加え、実施の形態２と同様、かご室１上部及びかご室１下部の保守点検が容易にできる。
【図面の簡単な説明】
【００３３】
【図１】この発明の実施の形態１におけるエレベータのかご装置を模式的に示した斜視図である。
【図２】図１のＡ部の拡大平面図である。
【図３】図１のＢ部の拡大斜視図である。
【図４】この発明の実施の形態１におけるエレベータのかご装置の上昇時の斜視図である。
【図５】この発明の実施の形態１におけるエレベータのかご装置の上昇時の正面図である。
【図６】この発明の実施の形態１におけるエレベータのかご装置の上昇時の縦断面図である。
【図７】この発明の実施の形態１におけるエレベータのかご装置の下降時の斜視図である。
【図８】この発明の実施の形態１におけるエレベータのかご装置の下降時の正面図である。
【図９】この発明の実施の形態１におけるエレベータのかご装置の下降時の縦断面図である。
【図１０】この発明の実施の形態１におけるエレベータのかご装置の動作を説明するフローチャートである。
【図１１】この発明の実施の形態２におけるエレベータのかご装置のかご室上部の保守点検を説明する縦断面図である。
【図１２】この発明の実施の形態２におけるエレベータのかご装置のかご室下部の保守点検を説明する縦断面図である。
【図１３】この発明の実施の形態３におけるエレベータのかご装置の上昇時の正面図である。
【図１４】この発明の実施の形態３におけるエレベータのかご装置の上昇時の縦断面図である。
【図１５】この発明の実施の形態３におけるエレベータのかご装置の下降時の正面図である。
【図１６】この発明の実施の形態３におけるエレベータのかご装置の下降時の縦断面図である。
【図１７】この発明の実施の形態４におけるエレベータのかご装置のかご室上部の保守点検を説明する縦断面図である。
【図１８】この発明の実施の形態４におけるエレベータのかご装置のかご室下部の保守点検を説明する縦断面図である。
【符号の説明】
【００３４】
１  かご室
１ａ  かご天井
１ｂ  かご床
２  かごの戸
３  かご枠
４  エレベータの利用者
５  整風カバー
６  整風カバー用移動レール
７  整風カバー用ガイドシュー
８  ロープ
９  プーリー
１０  整風カバー駆動手段
１１  固定具
１２  スクリーン用レール枠
１３  上部スライドスクリーン
１４  下部スライドスクリーン
１５  作業床取付台
１６  作業床
１７  作用者
１８  上部シャッター
１９  下部シャッター
２０  シャッター用レール枠
２１  上部シャッター巻き取り機
２２  下部シャッター巻き取り機
【図１】
2008162788.tif 000003
【図２】
2008162788.tif 000004
【図３】
2008162788.tif 000005
【図４】
2008162788.tif 000006
【図５】
2008162788.tif 000007
【図６】
2008162788.tif 000008
【図７】
2008162788.tif 000009
【図８】
2008162788.tif 000010
【図９】
2008162788.tif 000011
【図１０】
2008162788.tif 000012
【図１１】
2008162788.tif 000013
【図１２】
2008162788.tif 000014
【図１３】
2008162788.tif 000015
【図１４】
2008162788.tif 000016
【図１５】
2008162788.tif 000017
【図１６】
2008162788.tif 000018
【図１７】
2008162788.tif 000019
【図１８】
2008162788.tif 000020